(57)【要約】【課題】薬剤の経時的な局在の変化の観察に適した放射線断層撮影装置を提供する。【解決手段】本発明のデータ記憶部に記憶された検出データＤのうち、開始時点の検出データＤｓより後に検出器リングが検出した検出データＤが対象データ群と認識される。そして、この対象データ群がマッピング部に送出され、断層画像Ｐ１が生成される。その後に、開始時点は、サンプリング間隔だけ後の時点に再設定される。そして、次の断層画像Ｐ２を生成する。この様に、対象データ群の認識、断層画像の生成、開始時点の設定との各々を循環的に繰返すことにより、サンプリング間隔Ｗｂだけ互いに経時的に離間した被検体像が写りこんだ一連の断層画像が生成できるのである。【選択図】図７
2010190711.tif 000002
【特許請求の範囲】
【請求項１】
放射線を検出する放射線検出器が環状に配列されて構成されるとともに、検出データを出力する検出器リングと、
検出データおよび、放射線がどの時点で検出されたかを示す時間情報を記憶する検出データ記憶手段と、
前記検出データ記憶部に記憶されている検出データ群の一部を読み出して放射線断層画像を生成する断層画像生成手段と、
前記断層画像生成手段に対して前記検出データ群のうち、どの検出データを前記検出データ記憶部から読み出させるかを決定する決定手段と、
ある期間中に検出器リングに検出された放射線を示す検出データを用いて放射線断層画像を作成する際に、その期間の最初を示す開始時点を記憶する開始時点記憶手段と、
その期間の長さを示す対象時間を記憶する対象時間記憶手段と、
時系列的に隣接した放射線断層画像における各々の前記開始時点の間隔を示すサンプリング間隔を記憶するサンプリング間隔記憶手段とを備え、
前記決定手段は、（Ａ）前記時間情報を参照して前記検出データ記憶手段に記憶された検出データのうち、前記開始時点を起点として、前記対象時間内に前記検出器リングが検出した検出データを放射線断層画像を生成する際に用いられる対象データ群と認識し、
（Ｂ）前記断層画像生成手段に前記対象データ群を送出し、
（Ｃ）前記開始時点からサンプリング間隔だけ後の時点を次回の開始時点として再設定するという、（Ａ），（Ｂ），（Ｃ）の動作を繰返すことで、前記断層画像生成手段に前記サンプリング間隔の間隔をおいて経時的に連続した像が写り込んだ一連の放射線断層画像を生成させ、
前記サンプリング間隔は、前記対象時間以下となっていることを特徴とする放射線断層撮影装置。
【請求項２】
請求項１に記載の放射線断層撮影装置において、
術者の指示を入力させる入力手段を更に備え、
前記記憶手段に記憶されているパラメータは、前記入力手段によって変更可能となっていることを特徴とする放射線断層撮影装置。
【請求項３】
請求項１に記載の放射線断層撮影装置において、
前記決定手段は、（Ａ），（Ｂ），（Ｃ）の動作に加えて（Ｄ１）前記対象時間記憶手段から前記対象時間を読み出すことを繰り返し、
前記決定手段に次々と読み出される前記対象時間の長さは、前記決定手段が前回読み出した対象時間の長さと同じかそれ以上となっていることを特徴とする放射線断層撮影装置。
【請求項４】
請求項１に記載の放射線断層撮影装置において、
対象数を記憶する対象数記憶手段を備え、
前記決定手段は、（Ａ），（Ｂ），（Ｃ）の動作に加えて（Ｄ２）前記対象数記憶手段から前記対象数を読み出し、
前記決定手段に次々と読み出される前記対象データの点数は、対象数となっていることを特徴とする放射線断層撮影装置。
【請求項５】
請求項１ないし請求項４のいずれかに記載の放射線断層撮影装置において、
前記検出器リングの中心軸方向に伸びるとともにその内部に挿入された天板を更に備えるとともに、これに加えて、
（α）前記天板に対し前記中心軸周りに回転可能な放射線源と、
（β）前記天板に対し前記中心軸周りに回転可能な放射線検出手段と、
（γ）前記放射線源と前記放射線検出手段とを支持する支持手段と、
（δ）前記支持手段を回転させる回転手段と、
（ε）前記回転手段を制御する回転制御手段を備えた画像生成装置を更に備えることを特徴とする放射線断層撮影装置。
【発明の詳細な説明】
【技術分野】
【０００１】
この発明は、被検体から放射される放射線をイメージングする放射線撮影装置に関し、特に被検体の胴体部分を一度に撮影できる程度に広視野の放射線撮影装置に関する。
【背景技術】
【０００２】
医療分野において、被検体に投与されて関心部位に局在した放射性薬剤から放出された消滅放射線（例えばγ線）を検出し、被検体の関心部位における放射性薬剤分布の断層画像を得る放射線断層撮影装置(ECT:Emission Computed Tomography)に使用されている。ＥＣＴには、主なものとして、ＰＥＴ(Positoron Emission Tomography)装置、ＳＰＥＣＴ(Single Photon Emission Computed Tomography)装置などが挙げられる。
【０００３】
ＰＥＴ装置を例にとって説明する。ＰＥＴ装置は、ブロック状の放射線検出器をリング状に配列した検出器リングを有する。この検出器リングは、被検体を包囲するために設けられているものであり、被検体を透過してきた放射線を検出できる構成となっている。
【０００４】
まずは、従来のＰＥＴ装置の構成について説明する。図１１に示すように、従来のＰＥＴ装置５０は、被検体を導入する導入孔を備えたガントリ５１と、ガントリ５１の内部に、導入孔を囲むように、放射線を検出するブロック状の放射線検出器５２を配列して形成された検出器リング５３と、検出器リング５３を囲むように設けられた支持部材５４とを有している。そして、放射線検出器５２の各々について、その支持部材５４の介在する位置にブリーダ回路を備えたブリーダユニット５５が設けられており、これが支持部材５４と放射線検出器５２とを連結している。この様なＰＥＴ装置は、例えば、特許文献１に記載されている。
【０００５】
ＰＥＴ装置は、放射性薬剤より放射される消滅放射線対を測定する。すなわち、被検体Ｍの内部から放射される消滅放射線対は、進行方向が１８０°反対方向となっている放射線のペアである。図１２に示すように、検出器リング５３は、消滅放射線対を検出する検出素子Ｃがｚ方向に積層されている。これにより、検出器リング５３に対する消滅放射線対の位置をｚ方向について弁別できる。
【０００６】
この様なＰＥＴ装置の画像の生成方法について説明する。一般的なデータ処理については、特許文献１に詳しいが、ここでは、特許文献１を適宜変更した構成を示す。図１３に示すように、検出器リング５３から出力された検出データは、検出データ記憶部６１に記憶される。被検体の放射線断層画像の生成には、検出データの点数が所定量となるまで消滅放射線対の検出を続ける必要がある。検出データの点数が所定量となったところで、断層画像生成部６２は、検出データ記憶部６１に記憶されている検出データを読み出して、被検体内の放射性薬剤分布を示す被検体断層画像が生成され、被検体断層画像は、表示部６３で表示される。
【先行技術文献】
【特許文献】
【０００７】
【特許文献１】特開平８−２４２５３号公報
【発明の概要】
【発明が解決しようとする課題】
【０００８】
しかしながら、上述の従来構成によれば、以下のような問題点がある。
すなわち、従来構成の放射線断層撮影装置においては、薬剤の移動を観察することが困難である。近年の被検体における薬剤の分布のみならず、薬剤の経時的な局在の変化の観察を要する場面が増加している。この様な被検体における薬剤の移動を観察したければ、経時的に連続する複数枚の断層画像を短い時間間隔で取得することが必要となる。従来構成は、このような断層画像の撮影は困難である。
【０００９】
断層画像生成部６２は、検出データに記憶されている検出データの点数が所定量となったところで、断層画像を取得するのである。図１３において、検査開始の時点Ｔ０から一定時間経過し、時点Ｔ１となったとき、検出データの点数が所定量となったものとする。断層画像生成部６２は、この間に蓄積された検出データ群Ｄ１を基に断層画像Ｐ１を生成する。その後、検出データ記憶部６１は、時点Ｔ１から再び検出データの蓄積を開始し、時点Ｔ２となったとき、検出データの点数が所定量となったものとする。この間に蓄積された検出データ群Ｄ２を基に断層画像Ｐ２を生成する。同様に、時点Ｔ２と時点Ｔ３との間に得られた検出データ群Ｄ３を基に断層画像Ｐ３が生成される。
【００１０】
つまり、経時的に連続する断層画像Ｐ１〜断層画像Ｐ３における時間は、検出データの点数が所定量となる時間（例えば時点Ｔ０と時点Ｔ１との間の時間）よりも短くすることができない。すると、薬剤の経時的な局在の変化を観察しようとしても、薬剤の速やかな移動は観察されないことになる。したがって、従来構成によれば、薬剤の速やかな移動を観察したければ、被検体に注射される放射性薬剤の量を増加させるしかない。
【００１１】
薬剤によっては、投与量に応じて被検体における挙動が異なるものもある。したがって、放射性薬剤の量は自在に増減させることができない場合がある。したがって、薬剤の投与量を増やしても、全ての検査が実施できるわけではない。また、放射性薬剤の投与量を増加させることで、被検体の放射線被曝量は増大する。
【００１２】
本発明はこの様な事情を鑑みてなされたものであって、その目的は、薬剤の経時的な局在の変化の観察に適した放射線断層撮影装置を提供することにある。
【課題を解決するための手段】
【００１３】
本発明は、上述の目的を達成するために、次のような構成をとる。
すなわち、請求項１に記載の放射線断層撮影装置は、放射線を検出する放射線検出器が環状に配列されて構成されるとともに、検出データを出力する検出器リングと、検出データおよび、放射線がどの時点で検出されたかを示す時間情報を記憶する検出データ記憶手段と、検出データ記憶部に記憶されている検出データ群の一部を読み出して放射線断層画像を生成する断層画像生成手段と、断層画像生成手段に対して検出データ群のうち、どの検出データを検出データ記憶部から読み出させるかを決定する決定手段と、ある期間中に検出器リングに検出された放射線を示す検出データを用いて放射線断層画像を作成する際に、その期間の最初を示す開始時点を記憶する開始時点記憶手段と、その期間の長さを示す対象時間を記憶する対象時間記憶手段と、時系列的に隣接した放射線断層画像における各々の開始時点の間隔を示すサンプリング間隔を記憶するサンプリング間隔記憶手段とを備え、決定手段は、（Ａ）時間情報を参照して検出データ記憶手段に記憶された検出データのうち、開始時点を起点として、対象時間内に検出器リングが検出した検出データを放射線断層画像を生成する際に用いられる対象データ群と認識し、（Ｂ）断層画像生成手段に対象データ群を送出し、（Ｃ）開始時点からサンプリング間隔だけ後の時点を次回の開始時点として再設定するという、（Ａ），（Ｂ），（Ｃ）の動作を繰返すことで、断層画像生成手段にサンプリング間隔の間隔をおいて経時的に連続した像が写り込んだ一連の放射線断層画像を生成させ、サンプリング間隔は、対象時間以下となっていることを特徴とするものである。
【００１４】
［作用・効果］本発明の構成は、サンプリング間隔と開始時点とを記憶している。そして、検出器リングから出力された放射線の検出に係る検出データは、検出データ記憶手段に記憶される。この検出データを基に断層画像が生成されるのである。具体的には、断層画像生成手段は、検出データ記憶手段に記憶されている検出データ群のうち、現在生成しようとしている断層画像に係る対象データ群を用いて断層画像を生成する。この対象データ群は、検出器リングにより検出された順に配列している一群の検出データである。しかも、対象データ群の構成は、断層画像が生成される度に異なっており、それに伴って、異なったＮ枚の断層画像が生成される。まず、時間情報が参照され、検出データ記憶手段に記憶された検出データのうち、開始時点より後に検出器リングが検出した検出データが対象データ群と認識される。そして、この対象データ群が断層画像生成手段に送出され、断層画像が生成される。その後に、開始時点は、サンプリング間隔だけ後の時点に再設定される。そして、次の断層画像が生成される。この様に、対象データ群の認識、断層画像の生成、開始時点の設定との各々を循環的に繰返すことにより、サンプリング間隔だけ互いに経時的に離間した被検体像が写りこんだ一連の断層画像が生成できるのである。なお、上述のサンプリング間隔は、自由に変更することができる。従来の構成によれば、サンプリング間隔の概念がなく、検出データが蓄積されるのを待って断層画像が生成されるので、この様な変更はできない。
【００１５】
従来構成における、ある時点で検出器リングが検出した検出データは、単一の断層画像の生成に使用されるのみとなっているのに対し、本発明における、ある時点での検出データは、複数の断層画像を生成するのに使用される。つまり、経時的に隣接する２つの対象データ群は、経時的にオーバーラップしており、検出データの各々は、複数回に亘って検出データ記憶手段から読み出される。したがって、断層画像に使用される検出データの延べ数を増加させることができ、一度の検査でより枚数の多い断層画像が取得できる。つまり、本発明によれば、従来よりも短い時間間隔で被検体像を写しこんだ一連の断層画像が生成でき、放射性薬剤の追跡検査に適した放射線断層撮影装置が提供できる。
【００１６】
なお、検出データは、検出器リングに検出された時点を基に、いずれの対象データ群に組み入れるか決定される。上述の構成によれば、検出データと時間情報とが連関されているので、検出データの検出器リングに検出された時点は、容易に知ることができる。
【００１７】
また、本発明の構成の放射線断層撮影装置は、対象時間を記憶している。対象時間は、対象データ群の時間的長さを決定するものである。上述の構成によれば、対象データ群は、経時的な一区間内で検出された検出データによって構成される。その区間の始まりは、開始時点であり、終わりは開始時点から対象時間だけ経時的に後の時点である。対象データ群の有する時間幅が、例えば、薬剤の分布の変化速度に対してあまりにも長いものとなると、断層画像に写りこむ薬剤分布がボケてしまう。上述の構成によれば、それを軽減することができる。
【００１８】
また、本発明のサンプリング間隔は、対象時間以下となっている。これにより、ある時間に取得された検出データは複数の放射線断層画像を構成する際に利用される。つまり、放射線断層画像を構成する際の検出データの延べ数を増加させることができるので、放射線断層画像は鮮明なものとなる。また、対象時間の制限を受けずにサンプリング間隔を設定することができるので、よりサンプリング間隔が短くすることで、薬剤分布の変化を確実に追跡できるようになる。
【００１９】
また、請求項２に係る発明は、請求項１に記載の放射線断層撮影装置において、術者の指示を入力させる入力手段を更に備え、記憶手段に記憶されているパラメータは、入力手段によって変更可能となっていることを特徴とするものである。
【００２０】
［作用・効果］上述の構成によれば、例えば、サンプリング間隔、対象時間が術者の指定に基づいて変更可能となっている。これにより放射性薬剤の被検体内における挙動に合わせて、断層画像の生成の様式を変更できるので、より放射性薬剤の追跡検査に適した放射線断層撮影装置が提供できる。
【００２１】
また、請求項３に係る発明は、請求項１に記載の放射線断層撮影装置において、決定手段は、（Ａ），（Ｂ），（Ｃ）の動作に加えて（Ｄ１）対象時間記憶手段から対象時間を読み出すことを繰り返し、決定手段に次々と読み出される対象時間の長さは、決定手段が前回読み出した対象時間の長さと同じかそれ以上となっていることを特徴とするものである。
【００２２】
［作用・効果］上述の構成によれば、より鮮明な断層画像が提供できる。すなわち、放射性薬剤より放射される放射線の線量は、被検体に投薬された直後において最大となり、それから徐々に減少していく。上述の構成は、開始時点を再設定するのに合わせて対象時間の長さを長くしていく。つまり、投薬から時間が経過した断層画像である程、断層画像は、より長い時間に亘った検出データのグループを基に生成される。したがって、投薬から時間が経過するにつれて検出器リングが検出する放射線の検出頻度が少なくなっていっても、投薬から時間が経過した時点における断層画像は、十分な点数の検出データを基に生成される。したがって、取得される断層画像は、より鮮明なものとなる。
【００２３】
また、請求項４に記載の発明は、請求項１に記載の放射線断層撮影装置において、対象数を記憶する対象数記憶手段を備え、決定手段は、（Ａ），（Ｂ），（Ｃ）の動作に加えて（Ｄ２）対象数記憶手段から対象数を読み出し、決定手段に次々と読み出される対象データの点数は、対象数となっていることを特徴とするものである。
【００２４】
［作用・効果］上述の構成によれば、対象数が設定されている。そして、取得される断層画像を生成する際に使用される検出データは、全て同一数（対象数）となっている。これにより、対象時間を長くしていきながら断層画像を取得するよりも、より鮮明な画像が取得できる場合がある。
【００２５】
また、請求項５に記載の発明は、請求項１ないし請求項４のいずれかに記載の放射線断層撮影装置において、中心軸方向に伸びるとともに検出器リングの内部に挿入された天板を更に備えるとともに、これに加えて、（α）天板に対し中心軸周りに回転可能な放射線源と、（β）天板に対し中心軸周りに回転可能な放射線検出手段と、（γ）放射線源と放射線検出手段とを支持する支持手段と、（δ）支持手段を回転させる回転手段と、（ε）回転手段を制御する回転制御手段を備えた画像生成装置を更に備えることを特徴とするものである。
【００２６】
［作用・効果］上述の構成によれば、被検体の内部構造と、薬剤分布との両方を取得できる放射線断層撮影装置が提供できる。ＰＥＴ装置は、一般的に薬剤分布に係る情報を得ることができる。しかしながら、被検体の臓器や組織を写しこんだ断層画像を参照しながら診断を行う必要がある場合がある。上述の構成によれば、被検体の内部構造と、薬剤分布との両方を取得できるので、例えば両画像を重ね合わせることで、診断に好適な合成画像を生成させることができる。
【発明の効果】
【００２７】
本発明の断層画像生成手段は、検出データ記憶手段に記憶されている検出データ群のうち、現在生成しようとしている断層画像に係る対象データ群を用いて断層画像を生成する。具体的には、次の通りである。まず、時間情報が参照され、検出データ記憶手段に記憶された検出データのうち、開始時点より後に検出器リングが検出した検出データが対象データ群と認識される。そして、この対象データ群が断層画像生成手段に送出され、断層画像が生成される。その後に、開始時点は、サンプリング間隔だけ後の時点に再設定される。そして、次の断層画像が生成される。この様に、対象データ群の認識、断層画像の生成、開始時点の設定との各々を循環的に繰返すことにより、サンプリング間隔だけ互いに経時的に離間した被検体像が写りこんだ一連の断層画像が生成できるのである。
【００２８】
また、従来構成における、ある時点で検出器リングが検出した検出データは、単一の断層画像の生成に使用されるのみとなっているのに対し、本発明における、ある時点での検出データは、複数の断層画像を生成するのに使用される。つまり、断層画像に使用できる検出データの延べ数を増加させることができ、従来よりも短い時間間隔で被検体像を写しこんだ一連の断層画像が生成できる。
【図面の簡単な説明】
【００２９】
【図１】実施例１に係る放射線断層撮影装置の構成を説明する機能ブロック図である。
【図２】実施例１に係る放射線検出器の構成を説明する斜視図である。
【図３】実施例１に係る検出器リングの構成を説明する図である。
【図４】実施例１に係る放射線の検出を説明する模式図である。
【図５】実施例１に係る放射線断層撮影装置の構成を説明する機能ブロック図である。
【図６】実施例１に係る断層画像の生成を説明する模式図である。
【図７】実施例１に係る断層画像の生成を説明する模式図である。
【図８】実施例１に係る断層画像の生成を説明する模式図である。
【図９】実施例２に係る断層画像の生成を説明する模式図である。
【図１０】実施例３に係る放射線断層撮影装置の構成を説明する機能ブロック図である。
【図１１】従来構成の放射線断層撮影装置の構成を説明する平面図である。
【図１２】従来構成の放射線断層撮影装置の構成を説明する機能ブロック図である。
【図１３】従来構成の断層画像の生成を説明する模式図である。
【発明を実施するための形態】
【００３０】
以下、本発明に係る放射線断層撮影装置における較正データの収集方法の最良の形態について説明する。なお、以下に説明するγ線は、本発明の放射線の一例である。実施例１，２は、本発明をＰＥＴ装置に適応したものであり、実施例３は、本発明をＰＥＴ／ＣＴ装置に適応したものである。
【実施例１】
【００３１】
＜放射線断層撮影装置の全体構成＞
以下、本発明に係る放射線断層撮影装置の各実施例を図面を参照しながら説明する。図１は、実施例１に係る放射線断層撮影装置の構成を説明する機能ブロック図である。実施例１に係る放射線断層撮影装置９は、図１に示すように、被検体Ｍを仰臥させる天板１０と、被検体Ｍを包囲する貫通穴を有するガントリ１１を有している。天板１０は、ガントリ１１の開口を貫通するように備えられているとともに、ガントリ１１の開口の伸びる方向（ｚ方向）に沿って進退自在となっている。この様な天板１０の摺動は、天板移動機構１５によって実現される。天板移動機構１５は、天板移動制御部１６によって制御される。
【００３２】
ガントリ１１の内部には、被検体Ｍから放射される消滅γ線対を検出する検出器リング１２が備えられている。この検出器リング１２は、被検体Ｍの体軸方向ｚ（本発明の延伸方向に相当する。）に伸びた筒状であり、その長さは、１ｍ〜１．８ｍである。すなわち、検出器リング１２は、被検体Ｍの少なくとも胴体部分を完全に覆う事ができる程度まで伸びている。
【００３３】
検出器リング１２は、ブロック状の放射線検出器１がリング状に配列されて構成される。放射線検出器１における１つあたりの幅は、約５ｃｍであったとすると、検出器リング１２に放射線検出器１は、ｚ方向に約２０個〜３６個配列されていることになる。この放射線検出器１の構成について簡単に説明する。図２は、実施例１に係る放射線検出器の構成を説明する斜視図である。放射線検出器１は、図２に示すように放射線を蛍光に変換するシンチレータ２と、蛍光を検出する光検出器３とを備えている。そして、シンチレータ２と光検出器３との介在する位置には、蛍光を授受するライトガイド４が備えられている。
【００３４】
シンチレータ２は、シンチレータ結晶が３次元的に配列されて構成されている。シンチレータ結晶は、Ｃｅが拡散したＬｕ２（１−Ｘ）Ｙ２ＸＳｉＯ５（以下、ＬＹＳＯとよぶ）によって構成されている。そして、光検出器３は、どのシンチレータ結晶が蛍光を発したかという蛍光発生位置を特定することができるようになっているとともに、蛍光の強度や、蛍光の発生した時刻をも特定することができる。シンチレータ結晶は、本発明の放射線検出素子に相当する。
【００３５】
検出器リング１２の構成について説明する。図３は、実施例１に係る検出器リングの構成を説明する図である。放射線検出器１は、検出器リング１２において正多角形の形状に沿って環状に並べられている。すると、シンチレータ結晶も仮想円に沿って並べられ、図３（ａ）に示すような単位検出リング１２ｂを構成する。単位検出リング１２ｂは、ｚ方向について同一位置に存するとともに、円環に沿って配列されたシンチレータ結晶Ｃ（放射線検出素子）で構成される。すなわち、単位検出リング１２ｂは、シンチレータ結晶が一列に並んだものであり、仮想円に沿って並べられた放射線検出器１とは独立した概念である。そして、図３（ｂ）に示すように、この単位検出リング１２ｂがｚ方向に連接されて検出器リング１２が構成される。言い換えれば、単位検出リング１２ｂは、ｚ方向に沿った中心軸を共有して連接されている。単位検出リング１２ｂの中心には、貫通孔が設けられており、単位検出リング１２ｂの有する貫通孔が連結するように単位検出リング１２ｂが配列され、検出器リング１２が構成されていると捉えることもできる。
【００３６】
実施例１によれば、１００個前後の放射線検出器１が円環状に配列することで検出器リング１２が形成されるため、ｚ方向から貫通穴１２ａを見たとき、貫通穴１２ａは、例えば正１００角形となっている。この場合、複数の単位検出リング１２ｂは、各々の中心軸を共有して連結されており、貫通穴１２ａは、１００角柱の形状となっている。
【００３７】
なお、実施例１に係る放射線断層撮影装置９は、図１に示すように、被検体Ｍの断層画像を取得するための各部が更に設けられている。具体的には、放射線断層撮影装置９は、検出器リング１２で検出された検出データのうち、有効なデータを抽出するフィルタ部２０と、フィルタ部２０にて有効とみなされたデータを受信し、消滅γ線対の蛍光強度を取得する蛍光強度取得部２１と、検出器リング１２における消滅γ線対の入射位置を特定するＬＯＲ特定部２２と、検出データを記憶するデータ記憶部２３と、被検体Ｍの断層画像を形成するマッピング部２４と、マッピング部２４に対してデータ記憶部２３に記憶されている検出データ群のうち、どの検出データを読み出させるかを決定する決定部２６と、被検体Ｍの断層画像に較正を加える較正部２５とを備えている。較正部２５は、較正データ記憶部３４に記憶された校正用データを参照して断層画像に写りこんだ偽像を除去する。なお、設定値記憶部２７は、後述の各種設定値（サンプリング間隔、開始時点、対象時間に係る設定値）を記憶するものである。
【００３８】
ＬＯＲ(Line of Response)特定部は、本発明の入射位置取得手段に相当する。データ記憶部は、本発明の検出データ記憶手段に相当し、マッピング部は、本発明の断層画像生成手段に相当する。決定部は、本発明の決定手段に相当し、入力部は、本発明の入力手段に相当する。
【００３９】
そしてさらに、実施例１に係る放射線断層撮影装置９は、各部を統括的に制御する主制御部３５と、放射線断層画像を表示する表示部３６とを備えている。この主制御部３５は、ＣＰＵ等によって構成され、各種のプログラムを実行することにより、フィルタ部２０，蛍光強度取得部２１，ＬＯＲ特定部２２，およびマッピング部２４，較正部２５，決定部２６とを実現している。なお、上述の各部はそれらを担当する制御装置に分割されて実現されてもよい。
【００４０】
＜放射線断層撮影装置の動作＞
次に、この様な構成となっている放射線断層撮影装置の動作について説明する。まず、放射性薬剤が注射投与された被検体Ｍが、天板１０に載置される。天板１０は、天板移動制御部１６の制御にしたがって移動し、被検体Ｍは、ガントリ１１に導入される。このとき、被検体Ｍにおける撮影範囲が検出器リング１２の内部に位置することになる。被検体Ｍから照射される放射線の検出中、天板１０は移動しない。
【００４１】
被検体Ｍから消滅γ線対が発生すると、消滅放射線対は、検出器リング１２の有する２つの異なるシンチレータ結晶に入射する。シンチレータ結晶から生じた蛍光は、光検出器３によって検出され、検出データが出力される。一方、検出器リング１２には、クロック１９から、時刻情報であるクロックデータが送られてきている。このクロックデータは、例えばシリアルナンバーとなっている。検出データには、このクロックデータが付与される。この付与されたクロックデータは、放射線がどの時点で検出されたかを示しており、本発明の時間情報に相当する。
【００４２】
消滅放射線対が検出器リング１２に入射すると、検出器リング１２からは２つの互いに独立した検出データが出力されることになる。ある２つの検出データが所定の時間範囲内に得られたものである場合、それらは、ペアリングされて、単一の消滅放射線対に由来するものとされるのである。そして、時間範囲内に相手が見つからない検出データは、ペアリングに係る過程の前に破棄される。
【００４３】
ＬＯＲ特定部２２は、２つのシンチレータ結晶を結ぶ線分であるＬＯＲを特定するものである。つまり、所定のタイムウィンドウ内の期間中に蛍光を発することで、同時にγ線が入射したと見なされた互いに異なるシンチレータ結晶を結ぶ線分である。検出器リング１２から出力される検出データには、どのシンチレータ結晶によるものか示す位置データが含まれている。ＬＯＲ特定部２２は、消滅放射線対によるものと見なされた２つの検出データからＬＯＲを求める。ＬＯＲ特定部２２から出力された検出データは、データ記憶部２３に記憶される。この様に、データ記憶部２３においては、多数の検出データが記憶される。一連の消滅γ線対の検出で取得される検出データ全体を検出データ群と呼ぶことにする。
【００４４】
検出データ群を構成する検出データの各々を検出された時系列順に並べて比較すれば、被検体Ｍにおける放射性薬剤の移動の様子を知ることができる。例えば図４に示すように、第１時点において薬剤は、点Ｐにあり、そこから薬剤は移動して、第２時点において、点Ｑに移動していったものとする。データ記憶部２３に記憶されている検出データ群のうち、第１時点において検出された検出データにおけるＬＯＲは、点Ｐを通過するものが多くなる。同様に、第２時点において検出された検出データにおけるＬＯＲは、点Ｑを通過するものが多くなる。したがって、直感的には、第１時点において検出された検出データのみを用いて断層画像を取得すれば、放射性薬剤の一時的な分布がはっきりと識別できそうである。
【００４５】
しかし、実際には、この様な断層画像を得ようとすると、検出データが不足して十分に薬剤分布をマッピングできず、断層画像は、ボケたものとなってしまう。そこで、これを防ぐために、断層画像を生成するのに十分量の検出データを蓄積して、これらを基に断層画像が生成させる。つまり、経時的に連続した断層画像を取得するには、検出データ群から所定の期間中に収集された検出データのみを抜き出して、マッピング部２４に送出する必要がある。
【００４６】
この様な検出データの選抜は、決定部２６が行う。この決定部２６は、設定値記憶部２７に記憶されている各種の設定値を参照しながら、マッピング部２４に検出データを送出する。設定値記憶部２７は、図５に示すように、サンプリング間隔記憶部２７ａと、開始時点記憶部２７ｂと、対象時間記憶部２７ｃと、上書き回数記憶部２７ｄとを備えている。以降、放射性薬剤分布が写りこんでいる一連の断層画像を時系列順に生成していくものとして決定部２６の動作について説明する。断層画像の生成に際し、決定部２６は、各記憶部に記憶されている開始時点設定値Ｓと、対象時間設定値Ｗａとを読み込む。サンプリング間隔記憶部は、本発明のサンプリング間隔記憶手段に相当する。また、開始時点記憶部は、本発明の開始時点記憶手段に相当し、対象時間記憶部は、本発明の対象時間記憶手段に相当する。また、開始時点設定値は、本発明の開始時点を具体化したものである。
【００４７】
次に、決定部２６は、対象データ群を認識する。図６は、実施例１に係る断層画像の生成を説明する模式図である。図６におけるＤは、クロックデータを基に時系列順に並べられた検出データを示しており、Ｇは、検出データ群を表している。そして、Ｄｓは、開始時点設定値Ｓが示す開始時点に検出された検出データに対応する検出データである。開始時点設定値Ｓは、検出データ群Ｇのうち、時系列的に最先頭に位置する検出データを示している。決定部２６は、開始時点設定値Ｓの示す開始時点を起点として、そこから対象時間Ｗａ内に検出器リング１２が検出した検出データを対象データ群を認識する。このときの対象データ群は、対象時間Ｗａ以内に収まるとともに検出データＤｓを先頭として時系列的に連続した１２個の検出データとなっている。決定部２６は、対象データ群に属する各検出データをマッピング部２４に送出する。マッピング部２４は、対象データ群を基に断層画像Ｐ１を生成する。この様に、開始時点設定値Ｓとは、ある期間中に検出器リングに検出された放射線を示す検出データを用いて放射線断層画像を作成する際に、その期間の最初を示すものであり、対象時間Ｗａとは、ある期間中に検出器リング１２に検出された放射線を示す検出データを用いて放射線断層画像を作成する際に、その期間の長さを示すものである。
【００４８】
次に、決定部２６は、開始時点記憶部２７ｂに記憶されている開始時点設定値Ｓを上書きして再設定する。具体的には、開始時点設定値Ｓをサンプリング間隔Ｗｂだけ後の時点に再設定する。図７において、開始時点設定値Ｓが変更されたことにより、開始時点設定値Ｓは、図６における検出データＤｓから時系列的に連続する検出データ５個分だけ後側の検出データを示すようになる。
【００４９】
決定部２６は、開始時点設定値Ｓの示す開始時点を起点として、そこから対象時間Ｗａの期間中に検出器リング１２が検出した検出データを対象データ群を認識する。このときの対象データ群は、図７における対象時間Ｗａ以内に収まる１２個の検出データである。決定部２６は、対象データ群に属する各検出データをマッピング部２４に送出する。マッピング部２４は、対象データ群を基に断層画像Ｐ２を生成する。断層画像Ｐ１と断層画像Ｐ２との各々は、サンプリング間隔Ｗｂだけ時系列的に離間した放射線断層画像を写しこんでいることになる。この様に、サンプリング間隔Ｗｂは、時系列的に隣接した放射線断層画像の時間的間隔を意味している。また対象時間Ｗａは、放射線断層画像を構成する際に使用される検出データの時間的な広がりを意味している。
【００５０】
そして、実施例１においては、図８に示すように、サンプリング間隔Ｗｂは、対象時間Ｗａ以下となっている。これにより、ある時間に取得された検出データは複数の放射線断層画像を構成する際に利用される。つまり、放射線断層画像を構成する際の検出データの延べ数を増加させることができるので、放射線断層画像は鮮明なものとなる。また、対象時間Ｗａの制限を受けずにサンプリング間隔Ｗｂを設定することができる。よりサンプリング間隔Ｗｂが短くすることで、薬剤分布の変化を確実に追跡できるようになる。
【００５１】
以降、同様に、決定部２６は、対象データ群の認識と、マッピング部２４に対する対象データ群の送出と、開始時点設定値Ｓの変更を繰返す。こうして、図８に示すように、互いにサンプリング間隔Ｗｂだけ時系列的に離間した放射線断層画像を写しこんでいる一連の断層画像Ｐ１〜Ｐ５が取得できる。この間、開始時点設定値Ｓは、幾度も上書きされることになる。決定部２６は、開始時点設定値Ｓを上書きする度に上書き回数記憶部２７ｄに開始時点設定値Ｓの上書き回数Ｎを記憶させる。一連の断層画像は、較正部２５にて偽像の除去処理が施された後、表示部３６に表示される。こうして、実施例１に係る放射線断層画像の取得は、終了となる。
【００５２】
以上のように、実施例１の構成は、サンプリング間隔Ｗｂと開始時点設定値Ｓとを記憶している。そして、マッピング部２４は、データ記憶部２３に記憶されている検出データ群のうち、現在生成しようとしている断層画像に係る対象データ群を用いて断層画像を生成する。この対象データ群は、検出器リング１２により検出された順に配列している一群の検出データである。しかも、対象データ群の構成は、断層画像が生成される度に異なっている。検出データ群を用いて断層画像を生成する具体的方法は、次の通りである。まず、決定部２６は、検出データの各々に関連付けられているクロックデータを参照して、データ記憶部２３に記憶された検出データのうち、開始時点設定値Ｓより後に検出器リング１２が検出した検出データを対象データ群と認識する。そして、この対象データ群がマッピング部２４に送出され、断層画像が生成される。その後に、開始時点設定値Ｓは、サンプリング間隔Ｗｂだけ後の時点に再設定される。そして、マッピング部２４は、次の断層画像を生成する。この様に、対象データ群の認識、断層画像の生成、開始時点設定値Ｓの設定との各々を循環的に繰返すことにより、サンプリング間隔Ｗｂだけ互いに経時的に離間した被検体像が写りこんだ一連の断層画像が生成できるのである。
【００５３】
また、従来構成における、ある時点で検出器リング１２が検出した検出データは、単一の断層画像の生成に使用されるのみとなっているのに対し、実施例１における、ある時点での検出データは、複数の断層画像を生成するのに使用される。つまり、経時的に隣接する２つの対象データ群は、経時的にオーバーラップしている。したがって、断層画像に使用できる検出データの延べ数を増加させることができ、一度の検査でより枚数の多い断層画像が取得できる。つまり、実施例１の構成によれば、従来よりも短い時間間隔で被検体像を写しこんだ一連の断層画像が生成でき、放射性薬剤の追跡検査に適した放射線断層撮影装置９が提供できる。
【００５４】
なお、検出データは、検出器リング１２に検出された時点を基に、いずれの対象データ群に組み入れるか決定される。上述の構成によれば、検出データとクロックデータとが連関されているので、検出データの検出器リング１２に検出された時点は、容易に知ることができる。
【００５５】
実施例１の構成の放射線断層撮影装置９は、対象時間Ｗａを記憶している。この対象時間Ｗａは、対象データ群の時間的長さを決定するものである。実施例１の構成によれば、対象データ群は、経時的な一区間内で検出された検出データによって構成される。その区間の始まりは、開始時点設定値Ｓであり、終わりは開始時点設定値Ｓから対象時間Ｗａだけ経時的に後の時点である。対象データ群の有する時間幅があまりにも長いものとなると、断層画像に写りこむ薬剤分布がボケてしまう。上述の構成によれば、それを防止することができる。
【００５６】
また、上述の構成によれば、サンプリング間隔Ｗｂ，対象時間が術者の指定に基づいて変更可能となっている。これにより放射性薬剤の被検体内における挙動に合わせて、断層画像の生成の様式を変更できるので、より放射性薬剤の追跡検査に適した放射線断層撮影装置９が提供できる。
【実施例２】
【００５７】
次に、実施例２に係る放射線断層撮影装置について説明する。実施例２に係る放射線断層撮影装置９の構成は、実施例１のものと同等であるので、説明を省略する。実施例２の構成は、実施例１と比べて、対象時間記憶部２７ｃと、決定部２６の構成が異なる。
【００５８】
対象時間記憶部２７ｃは、対象時間と、シリアルナンバーとが関連した対象時間表を記憶する。そして、決定部２６は、対象時間表にリストアップされている対象時間のうちの１つを読み出して使用することになる。決定部２６は、開始時点記憶部２７ｂに記憶されている開始時点設定値Ｓを上書きして再設定する際に、対象時間を読み出す。したがって、断層画像が生成されるたびに対象時間記憶部２７ｃに記憶された対象時間が参照されることになる。
【００５９】
決定部２６は、開始時点設定値Ｓを上書きした回数に応じて、読み出す対象時間を変化させていく。具体的には、上書き回数と、対象時間表のシリアルナンバーとを照合することで、対象時間表にリストアップされている対象時間のうちの１つを選択する。
【００６０】
被検体Ｍから照射される消滅放射線対の線量は、一般的に検査開始時が一番多く、それから次第に弱まっていく。したがって、検査開始から相当の時間が経過した後、断層画像を取得しようと思えば、対象時間を長くしないと、断層画像の取得に必要な検出データを十分に得ることができなくなる。実施例２の構成は、この様な課題を解決する目的で、決定部２６は、動作を繰返すにつれ、読み出す対象時間Ｗａを長いものとしていく。このとき，対象時間設定値Ｗａは、使用者が任意の値を設定する構成としてもよいし、放射性薬剤の半減期から自動的に求めてもよい。この対象時間設定値Ｗａの導出は、対象時間設定値取得部３７によって行われる。
【００６１】
決定部２６の動作の様子を図９を用いて説明する。断層画像Ｐ１を生成するのに用いられた対象データ群は、対象時間Ｗａ１以内に収まる時系列的に連続した検出データである。一方、断層画像Ｐ２を生成する場合には、対象時間Ｗａ２が用いられる。このときの両対象時間Ｗａ１，Ｗａ２の長さは、同一である。しかし、断層画像Ｐ３は、長さが対象画像Ｗａ２のそれよりも長い対象時間Ｗａ３を基に生成される。以降、同様に、断層画像Ｐ４〜断層画像Ｐ７を生成する際に基にされた対象時間Ｗａ４〜Ｗａ７の長さは、符号が大きくなるにしたがって、長いものとなっている。
【００６２】
しかも、注目すべきは、サンプリング間隔Ｗｂは、対象時間Ｗａの長さの変更に係らず一定である。この様にすれば、一定の時間を隔てて時系列に連続した断層画像Ｐ１〜Ｐ７が取得できるのである。
【００６３】
なお、上述の対象時間設定値取得部３７は、対象時間Ｗａに含まれる検出データの点数が同一となるように対象時間Ｗａの間隔を決定してもよい。この様にして得られた対象時間Ｗａが図９におけるＷａ１〜Ｗａ７であるとすると、各対象時間Ｗａ１〜Ｗａ７に含まれる検出データの点数の点数は、同一の数、すなわち対象数となっているのである。しかも、対象時間設定値取得部３７は、Ｗａ１〜Ｗａ７の取得を検査中に行う。例えば、７つのフレーム（画像）を取得しようとするとき、一番最後の対象時間Ｗａ７がどの段階で完了するのか不明で、どの時点で検査を終了すればよいか分からないという問題が生じる。このような問題を解決する目的で、対象時間設定値取得部３７が７フレーム目の画像を構成する検出データの点数が所定数となるまで待機する。その間、対象時間設定値取得部３７は、７フレーム目の画像を構成するには検出データの点数が不足している旨を主制御部３５に送出する。そして、主制御部３５は、検査時間を延長して、検出データの点数が十分となるまで、検査を継続するのである。なお、１フレームあたりの検出データの点数を示す対象数は、設定値記憶部２７に記憶されている。設定値記憶部２７は、本発明の対象数記憶手段に相当する。
【００６４】
すなわち、各フレームを生成する場合、決定部２６に次々と読み出される対象データ群を構成する対象データの点数は、決定部２６が設定値記憶部２７から読み出した対象数となっている。
【００６５】
実施例２の構成によれば、より画質が安定した断層画像が提供できる。すなわち、放射性薬剤より放射される放射線の線量は、被検体Ｍに投薬された直後において最大となり、それから徐々に減少していく。上述の構成は、開始時点設定値Ｓを再設定するのに合わせて対象時間Ｗａの長さを長くしていく。つまり、投薬から時間が経過した断層画像である程、断層画像は、より長い時間に亘った検出データのグループを基に生成される。したがって、投薬から時間が経過するにつれて検出器リング１２から出力される検出データが少なくなっていっても、投薬から時間が経過した時点における断層画像は、十分な点数の検出データを基に生成される。したがって、取得される断層画像は、より画質が安定したものとなる。
【実施例３】
【００６６】
次に、実施例３に係るＰＥＴ／ＣＴ装置について説明する。ＰＥＴ／ＣＴ装置とは、実施例１，実施例２で説明した放射線断層撮影装置（ＰＥＴ装置）９と、Ｘ線を用いた断層画像を生成するＣＴ装置とを有する構成で、両者で得られた断層画像を重ね合わせた合成画像を生成することができる医用装置である。
【００６７】
実施例３に係るＰＥＴ／ＣＴ装置の構成について説明する。実施例３に係るＰＥＴ／ＣＴ装置におけるＰＥＴ装置においては、実施例１，または実施例２で説明した放射線断層撮影装置（ＰＥＴ装置）９を用いることができる。したがって、実施例３における特徴的な部分であるＣＴ装置について説明する。図１０に示すように、ＣＴ装置８は、ガントリ４５を有している。ガントリ４５には、ｚ方向に伸びた開口が設けられており、この開口に天板１０が挿入されている。
【００６８】
ガントリ４５の内部には、Ｘ線を被検体に向けて照射するＸ線管４３と、被検体を透過してきたＦＰＤ（フラット・パネル・ディテクタ）４４と、Ｘ線管４３とＦＰＤ４４とを支持する支持体４７とが備えられている。支持体４７は、リング形状となっており、ｚ軸周りに回転自在となっている。この支持体４７の回転は、例えばモータのような動力発生手段と、例えば歯車のような動力伝達手段とから構成される回転機構３９が実行する。また、回転制御部４０は、この回転機構３９を制御するものである。Ｘ線管は、本発明の放射線源に相当する。ＦＰＤは、本発明の放射線検出手段に相当し、支持体は、本発明の支持手段に相当する。回転機構は、本発明の回転手段に相当し、回転制御部は、本発明の回転制御手段に相当する。
【００６９】
ＣＴ画像生成部４１は、ＦＰＤ４４から出力されたＸ線検出データを基に、被検体ＭのＸ線断層画像を生成するものである。また、重ね合わせ部４２は、放射線断層撮影装置（ＰＥＴ装置）９から出力された被検体内の薬剤分布を示すＰＥＴ画像と、上述のＸ線断層画像とを重ね合わせることで重合画像を生成する構成となっている。
【００７０】
主制御部３５は、各種のプログラムを実行することにより、実施例１，実施例２に係る決定部２６，およびマッピング部２４，較正部２５の他、回転制御部４０，ＣＴ画像生成部４１，重ね合わせ部４２，およびＸ線管制御部４６とを実現している。なお、上述の各部はそれらを担当する制御装置に分割されて実現されてもよい。
【００７１】
Ｘ線透視画像の取得方法について説明する。Ｘ線管４３とＦＰＤ４４とは、互いの相対位置を保った状態でｚ軸周りに回転する。このときＸ線管４３は間歇的にＸ線を被検体Ｍに向けて照射し、その度ごとに、ＣＴ画像生成部４１は、Ｘ線透視画像を生成する。この複数枚のＸ線透視画像は、ＣＴ画像生成部４１において例えば、既存のバック・プロジェクション法を用いて単一の断層画像に組み立てられる。
【００７２】
次に、合成画像の生成方法について説明する。ＰＥＴ／ＣＴ装置にて合成画像を取得するには、被検体Ｍの関心部位をＣＴ装置に導入して、そのＸ線断層画像を取得する。これに加えて被検体Ｍの関心部位を放射線断層撮影装置（ＰＥＴ装置）９に導入してＰＥＴ画像を取得することになる。重ね合わせ部４２によって両画像が重ね合わせられ、完成した合成画像は、表示部３６にて表示される。これにより、薬剤分布と被検体の内部構造とを同時に認識することができるので診断に好適な断層画像が提供できる。
【００７３】
実施例３の構成によれば、被検体Ｍの内部構造と、薬剤分布との両方を取得できる放射線断層撮影装置９が提供できる。ＰＥＴ装置は、一般的に薬剤分布に係る情報を得ることができる。しかしながら、被検体Ｍの臓器や組織を写しこんだ断層画像を参照しながら診断を行う必要がある場合がある。上述の構成によれば、被検体Ｍの内部構造と、薬剤分布との両方を取得できるので、例えば両画像を重ね合わせることで、診断に好適な合成画像を生成させることができる。
【００７４】
本発明は、上述の構成に限られず、次のような変形実施が可能である。
【００７５】
（１）上述した各実施例のいうシンチレータ結晶は、ＬＹＳＯで構成されていたが、本発明においては、その代わりに、ＧＳＯ（Ｇｄ２ＳｉＯ５）などのほかの材料でシンチレータ結晶を構成してもよい。本変形例によれば、より安価な放射線検出器が提供できる放射線検出器の製造方法が提供できる。
【００７６】
（２）上述した各実施例において、蛍光検出器は、光電子増倍管で構成されていたが、本発明はこれに限らない。光電子増倍管に代わって、フォトダイオードやアバランシェフォトダイオードや半導体検出器などを用いていもよい。
【００７７】
（３）上述した各実施例において、天板が摺動自在となっていたが、本発明はこれに限らず、たとえば、天板は固定であり、ガントリ１１が摺動する構成としてもよい。
【００７８】
（４）上述した各実施例において、時刻情報は、検出データに関連付けられていたが、本発明はこれに限られず、関連付けを行わなくてもよい。すなわち、クロック１９から時刻情報を連続的にフィルタ部２０に送出させておき、検出データは、出力され次第、時刻情報とともにフィルタ部２０に送出される構成としてもよい。フィルタ部２０は、検出データと時刻情報とが混合されたデータ群を取得し、これを基に検出データが何時の時点で検出器リング１２から出力されたものであるかを判別することができる。
【００７９】
（５）また、上述した各実施例、および上述の変形例において、クロック１９をソフトウェア的に実現してもよい。すなわち、まず、規定の時間幅（例えば１２８ｎｓ）を決めておく。検出器リング１２は、規定の時間幅の間に検出データを１つだけフィルタ部２０に送出し、次の規定の時間幅の間に送出する検出データがない場合、検出データが無かったことを示すダミーデータを送出する。フィルタ部２０は、ダミーデータと検出データとを（以降、単にデータという）区別することなくカウントし、データの点数を数えることで、検出データがいつ検出器リング１２から出力されたものであるか知る構成になっている。なお、規定の時間幅は、設定値記憶部２７に記憶される。
【産業上の利用可能性】
【００８０】
以上のように、本発明は、医用の放射線断層撮影装置に適している。
【符号の説明】
【００８１】
１     放射線検出器
９     放射線断層撮影装置
１０   天板
１２   検出器リング
２１   蛍光強度取得部（放射線強度取得手段）
２２   ＬＯＲ特定部（入射位置取得手段）
２３   データ記憶部（検出データ記憶手段）
２４   マッピング部（断層画像生成手段）
２６   決定部（決定手段）
２７ａ サンプリング間隔記憶部（サンプリング間隔記憶手段）
２７ｂ 開始時点記憶部（開始時点記憶手段）
２７ｃ 対象時間記憶部（対象時間記憶手段）
３８   入力部（入力手段）
３９   回転機構（回転手段）
４０   回転制御部（回転制御手段）
４３   Ｘ線管（放射線源）
４４   ＦＰＤ（放射線検出手段）
４７   支持体（支持手段）
【図１】
2010190711.tif 000003
【図２】
2010190711.tif 000004
【図３】
2010190711.tif 000005
【図４】
2010190711.tif 000006
【図５】
2010190711.tif 000007
【図６】
2010190711.tif 000008
【図７】
2010190711.tif 000009
【図８】
2010190711.tif 000010
【図９】
2010190711.tif 000011
【図１０】
2010190711.tif 000012
【図１１】
2010190711.tif 000013
【図１２】
2010190711.tif 000014
【図１３】
2010190711.tif 000015